(57)【要約】【課題】  ブランチ配管の固定構造を簡素化することができる建設機械の脈動低減装置を提供する。【解決手段】  油圧ポンプ１と、この油圧ポンプ１の吐出ポートに接続される油圧配管４と、この油圧配管４と連通する状態で基端側が吐出ポートに接続されるとともに先端側が閉塞され、油圧配管４に生じる脈動を低減するためのブランチ配管５，６とを有する建設機械の脈動低減装置において、エンジンＥに近い側に配索される第一ブランチ配管５と遠い側に配索される第二ブランチ配管６とを有し、第一ブランチ配管５の先端部に対応する位置にブランチ配管固定用の固定具８を配置し、エンジンＥの油圧ポンプ接続側外壁から延設されるブラケット９の先端部に固定具８を取り付け、第一ブランチ配管５の先端部は固定具８に直接固定し、第二ブランチ配管６はその先端部に管体７を接続することによってその長さを固定具８まで延長させ、管体７の先端部を固定具８に固定してなることを特徴とする。【選択図】        図１
2005030520.tif 000002
【特許請求の範囲】
【請求項１】
エンジンの出力軸に接続される複数の油圧ポンプと、各油圧ポンプの吐出ポートに接続される油圧配管と、上記油圧ポンプ毎に設けられ上記油圧配管と連通する状態で基端側が上記吐出ポートに接続されるとともに先端側が閉塞され、上記油圧配管に生じる脈動を低減するため上記油圧ポンプからの圧油の一部が導入されるブランチ配管とを有する建設機械の脈動低減装置において、
上記エンジンの油圧ポンプ接続側外壁からブラケットが延設され、このブラケットの先端部に上記ブランチ配管を共通して固定するための固定具が備えられ、この固定具に複数本の上記ブランチ配管を固定したことを特徴とする建設機械の脈動低減装置。
【請求項２】
上記ブランチ配管が、上記エンジンに近い側に配索される第一ブランチ配管と遠い側に配索される第二ブランチ配管とを有し、上記第一ブランチ配管の先端部に対応する位置に上記固定具を配置し、上記第一ブランチ配管の先端部は上記固定具に直接固定し、上記第二ブランチ配管はその先端部に延長部材を接続することによってその長さを上記固定具まで延長させ、上記延長部材の先端部を上記固定具に固定するように構成されている請求項１記載の建設機械の脈動低減装置。
【請求項３】
上記第一ブランチ配管と上記延長部材が接続された第二ブランチ配管は互いに内側に向けてＬ字状に折り曲げられ、上記固定具によって固定される各先端部は平行に配置されるように構成されている請求項１または２記載の建設機械の脈動低減装置。
【請求項４】
上記延長部材が上記ブランチ配管と同径の管からなり、上記固定具として、上記ブランチ配管および上記延長部材を直径方向から挟み込む一対のクランプ片と、この一対のクランプ片を上記ブラケットの先端部に固定する固定ねじとを有する請求項１〜３のいずれか１項に記載の建設機械の脈動低減装置。
【発明の詳細な説明】
【技術分野】
【０００１】
本発明は油圧アクチュエータを備えた建設機械に関し、より詳しくは、油圧ポンプから油圧アクチュエータに供給される圧油の脈動を低減する建設機械の脈動低減装置に関するものである。
【背景技術】
【０００２】
建設機械には作業アタッチメント等を駆動させるための複数の油圧アクチュエータが備えられており、これらの油圧アクチュエータは油圧配管を介して油圧ポンプに接続されている。
【０００３】
この油圧ポンプから吐出される圧油は流量変動等に伴って脈動が生じるものである。そこで、油圧ポンプの吐出ポートに上記油圧配管とは別に、先端が閉塞されたブランチ配管を分岐した状態で設け、このブランチ配管に圧油の一部を導入し、その先端で反射されて戻ってくる圧油を油圧配管に供給する圧油と合流させて干渉を起こすことにより、油圧配管内の圧油の脈動を減衰させることが従来から行われている。
【０００４】
上記ブランチ配管は通常、可撓性を有するホースで構成されており、プラグで閉塞された先端部はブラケットを介して上部旋回体のフレーム等に固定されている（例えば、特許文献１参照）。
【特許文献１】特開平０８−２９６７８８号公報（第(４)−(５)頁、図３，図４）
【発明の開示】
【発明が解決しようとする課題】
【０００５】
上記した従来のブランチ配管では、同配管の先端部を上部旋回体のフレームに直接、またはそのフレームから延設されたブラケットに引き寄せて固定するようになっているため、ブランチ配管の固定構造はフレーム構造と関連して設計しなければならず、コンパクトに配索することができないという不都合がある。
【０００６】
また、図３に示すように、ブランチ配管５０，５１をエンジン本体から長尺に延設されたブラケット５２上に固定するものも知られている。
【０００７】
この固定構造は、油圧ポンプ５３のポンプ軸と平行にエンジン外壁（図示しない）からブラケット５２を延設し、このブラケット５２上の複数箇所にブランチ配管５０，５１を固定するようになっている。第一ブランチ配管５０は第一クランプ５４を介して、第二ブランチ配管５１は第二クランプ５５を介してそれぞれブラケット５２に固定される。
【０００８】
ただし、この固定構造ではエンジンとブラケット５２とブランチ配管５０，５１とが一体に振動することになるため、ブランチ配管５０，５１はホースに代えて撓みを発生しない鋼管が使用され、ブラケット５２については剛性の高い部材が使用されることになる。この固定構造によれば、ブランチ配管５０，５１をコンパクトに配索することができるものの、複数のクランプ５４，５５が必要であったりブラケット５２が長尺であるため、ブランチ配管の固定構造の簡素化は実現されていない。
【０００９】
本発明は以上のような従来のブランチ配管における課題を考慮してなされたものであり、ブランチ配管の固定構造を簡素化することができる建設機械の脈動低減装置を提供するものである。
【課題を解決するための手段】
【００１０】
本発明は、エンジンの出力軸に接続される複数の油圧ポンプと、各油圧ポンプの吐出ポートに接続される油圧配管と、油圧ポンプ毎に設けられ油圧配管と連通する状態で基端側が吐出ポートに接続されるとともに先端側が閉塞され、油圧配管に生じる脈動を低減するため油圧ポンプからの圧油の一部が導入されるブランチ配管とを有する建設機械の脈動低減装置において、エンジンの油圧ポンプ接続側外壁からブラケットが延設され、このブラケットの先端部にブランチ配管を共通して固定するための固定具が備えられ、この固定具に複数本のブランチ配管を固定した建設機械の脈動低減装置である。
【００１１】
本発明に従えば、複数のブランチ配管が、エンジン外壁から延設されたブラケットの先端部に設けられた共通の固定具によって固定される。
【００１２】
本発明において、上記ブランチ配管が、エンジンに近い側に配索される第一ブランチ配管と遠い側に配索される第二ブランチ配管とを有する場合、第一ブランチ配管の先端部に対応する位置に固定具を配置し、第一ブランチ配管の先端部は固定具に直接固定し、第二ブランチ配管はその先端部に延長部材を接続することによってその長さを固定具まで延長させ、延長部材の先端部を固定具に固定するように構成することができる。
【００１３】
本発明に従えば、各吐出ポートから一定長さ延設される複数本のブランチ配管のうち、第一ブランチ配管は、エンジンに近い側に配置されている固定具に直接、固定される。一方、固定具に直接、固定するには長さが足らない第二ブランチ配管は、その先端部に延長部材が接続されて長さが延長され、延長先となる延長部材の先端部を固定具に固定することによって間接的に固定具に固定される。固定具は、エンジンに近い側に配索される第一ブランチ配管の先端部に対応する位置に設けられているため、その固定具を取り付けるためにエンジン外壁から延設されるブラケットの長さは短いもので構成することができる。
【００１４】
本発明において、第一ブランチ配管と延長部材が接続された第二ブランチ配管は互いに内側に向けてＬ字状に折り曲げられ、固定具によって固定される各先端部は平行に配置されるように構成することが好ましい。
【００１５】
本発明において、上記延長部材はブランチ配管と同径の管で構成することが好ましく、上記固定具の一具体例としては、ブランチ配管および延長部材を直径方向から挟み込む一対のクランプ片と、この一対のクランプ片をブラケットの先端部に固定する固定ねじとが示される。
【発明の効果】
【００１６】
以上説明したことから明らかなように、請求項１の本発明によれば、各吐出ポートから一定長さ延設される複数本のブランチ配管を共通の固定具によって固定することができるため、ブランチ配管の固定構造を簡素化することができる。
【００１７】
請求項２の本発明によれば、各吐出ポートから一定長さ延設される複数本のブランチ配管のうち、第一ブランチ配管は、エンジンに近い側に配置されている固定具に直接、固定される。一方、固定具に直接、固定するには長さが足らない第二ブランチ配管は、その先端部に延長部材が接続されて長さが延長され、延長先となる延長部材の先端部を固定具に固定することによって間接的に固定具に固定される。この固定具は、エンジンに近い側に配索される第一ブランチ配管の先端部に対応する位置に設けられているため、その固定具を取り付けるためにエンジン外壁から延設されるブラケットの長さは短いもので構成することができる。それにより、ブランチ配管の固定構造を簡素化することができる。また、ブラケットを短くすることができることにより、そのブラケットに生じる振動を低減させることができる。
【発明を実施するための最良の形態】
【００１８】
以下、図面に示した実施の形態に基づいて本発明を詳細に説明する。
【００１９】
図１は、本発明に係る脈動低減装置の一実施形態を平面から見たものである。
【００２０】
同図において、エンジンＥの出力軸に二つの油圧ポンプ１が接続されており、各油圧ポンプ１の吐出ポート側に分岐用ブロック２，３が接続され、この分岐用ブロック２，３に、油圧配管４が接続されるメインポートとブランチ配管５，６が接続される分岐ポート２ａ，３ａが備えられている。
【００２１】
上記油圧配管４の先端側はコントロールバルブに接続され、そのコントロールバルブによって流量と方向が制御された圧油が、建設機械の各油圧アクチュエータ（図示しない）に供給されるようになっている。
【００２２】
一方のブランチ配管（第一ブランチ配管）５はエンジンＥに近い側に配索されており、基端側が上記した分岐ポート３ａに接続され、先端側はプラグ５ａが螺着されて閉塞されている。他方のブランチ配管（第二ブランチ配管）６はエンジンＥから遠い側に配索されており、ブランチ配管５と同様に、基端側は分岐ポート２ａに接続され、先端側はプラグ６ａが螺着されて閉塞されている。
【００２３】
各ブランチ配管５，６は、脈動を吸収するようにその長さＳが設定されており、これらのブランチ配管５，６には、運転時に油圧ポンプ１から吐出された圧油の一部が導入され、導入された圧油は先端がプラグ５ａ，６ａで閉塞されているために基端側に逆戻りし、油圧配管４に吐出される圧油と合流するようになっている。
【００２４】
このとき、ブランチ配管５，６内を基端側に戻る圧油に含まれる脈動と、油圧配管４に吐出された圧油に含まれる脈動とが互いに干渉することによって脈動が相殺され、油圧配管４を流れる圧油に発生した脈動を減衰させることができる。
【００２５】
７はブランチ配管６と同径に構成された延長管（延長部材）であり、この延長管７はブランチ配管６の先端に螺着されているプラグ６ａの端面に溶接で固定されており、それによりブランチ配管６を、後述するクランプ８まで届く長さとしている。
【００２６】
また、エンジンＥの後部外壁には取付座９ａを備えた帯板状のブラケット９が設けられている。このブラケット９は油圧ポンプ１のポンプ軸方向と略平行に配置されており、その長さＬはブランチ配管５の先端部まで延設されている。
【００２７】
上記ブラケット９の先端部には図２に示すように固定具としてのクランプ８が設けられている。
【００２８】
図２は図１のＡ−Ａ矢視断面を示したものであり、クランプ８はブランチ配管５および延長管７をその両側から挟み込む一対のクランプ片８ａ，８ｂからなり、これらのクランプ片８ａ，８ｂおよびブラケット９に固定ねじ１０を挿通し、ナット１１を螺合して締め付けることにより、クランプ８とブラケット９とが接続されるようになっている。
【００２９】
なお、クランプ片８ａ，８ｂにはそれぞれブランチ配管５および延長管７と係合する断面半円状の凹溝が対向して形成されており、その凹溝とブランチ配管５，延長管７との環状の隙間にはゴム製の振動吸収リング１２が装着されている。
【００３０】
図１に戻ってブランチ配管５，６とブラケット９の配置について説明する。
【００３１】
ブランチ配管５とブランチ配管６は共にクランプ８側に向けてＬ字状に形成されている。ただし、ブランチ配管５と６は屈曲位置が異なるため、各ブランチ配管５，６においてクランプ８で固定される先端部分については左右に位置のずれた配置となっている。
【００３２】
ブランチ配管５についてはクランプ８で直接クランプすることができ、ブランチ配管６についてはその先端に接続された延長管７を介してクランプ８で固定されている。
【００３３】
このように構成することにより、エンジン外壁から延設するブラケット９の長さを短くすることができ、その長さＬは、図３に示した従来のブラケット５２の長さＬ′に比べ、大幅に短縮することができる。
【００３４】
エンジンＥの振動が伝播するブラケットは片持ち梁で構成されているため、その長さが長くなればなるほど先端の振れ幅が大きくなる。そこで従来はエンジンＥの振動が影響しないようにブラケットに剛性の高い部材が使用されていた。ところが本実施形態のようにブラケット９を短尺にすることができれば先端の振れ幅も小さくなるため、従来のブラケット５２よりも剛性の低いものに代えることができる。それにより、ブランチ配管の固定構造を簡素化することができるようになる。
【図面の簡単な説明】
【００３５】
【図１】本発明に係るブランチ配管構造を示す平面図である。
【図２】図１に示すクランプの構成を示すＡ−Ａ矢視断面図である。
【図３】従来のブランチ配管構造を示す図１相当図である。
【符号の説明】
【００３６】
１  油圧ポンプ
２，３  分岐用ブロック
２ａ，３ａ  分岐ポート
４  油圧配管
５，６  ブランチ配管
５ａ，６ａ  プラグ
７  延長管
８  クランプ
８ａ，８ｂ  クランプ片
９  ブラケット
１０  固定ねじ
１１  ナット
１２  振動吸収リング
【図１】
2005030520.tif 000003
【図２】
2005030520.tif 000004
【図３】
2005030520.tif 000005